(57)【要約】ハウジング（26、28、30、32、34）と、前記ハウジング上に軸支旋回可能に搭載された一連のスピンドル（36、38、40、42）を有してなる歯車列とを含み、前記スピンドルの第一のもの（42）が第一の針（16）を取り付ける軸（42a）を備え、前記スピンドルの第二もの（50）が、前記軸と同軸に配されると共に第二の針（20）を取り付ける円筒（50b）を備える時計のムーブメント。本発明によると、前記第二のスピンドル（50）がボールベアリング（54）によって回転可能に前記ハウジング（34）に搭載される。【選択図】図２
2004523761.tif 000002
【特許請求の範囲】
【請求項１】
枠（26、28、30、32、34）と、前記枠上に軸支旋回可能に搭載された歯車セット（36、38、40、42）を有してなる歯車列とを含み、前記歯車セットの第一のもの（42）が第一の針（16）を受ける軸（42a）を備え、前記歯車セットの第二もの（50）が、前記軸と同軸に配されると共に第二の針（20）を受ける管（50b）を備える時計のムーブメントにおいて、前記第二の歯車セット（50）がボールベアリング（54）によって回転可能に前記枠（34）に搭載されることを特徴とする、時計のムーブメント。
【請求項２】
前記ボールベアリング（54）が、芯（54b）、環（54a）及び該芯（54b）と該環（54a）との間に配されたボール（54c）を有し、前記環（54a）が前記枠（34）に強固に固定され、前記芯（54b）が第二の歯車セット（50）に固定されていることを特徴とする、請求項１に記載のムーブメント。
【請求項３】
前記芯（54b）が前記管（50b）に強制的に固定されていることを特徴とする、請求項２に記載のムーブメント。
【請求項４】
第二の歯車セット（50）が、動いているときには、第一の歯車セット（42）よりも大きな角速度で駆動されるように設計されていることを特徴とする、請求項１〜３のいずれか一項に記載の時計のムーブメント。
【請求項５】
時計のムーブメントが、前記第二の歯車セットによって形成される秒歯車セット（50）を含むクロノグラフ歯車列を備えた、クロノグラフ型の機構を有することを特徴とする、請求項４に記載の時計のムーブメント。
【請求項６】
その歯車列が、１分に１回転する秒針用の歯車セット（40）を有し、さらに、
−第一の位置と第二の位置とを占めることができる連結装置（52、48）であって、中間歯車（48）に取り付けられると共に、連結部材（52、48）が第二の位置を占めるときに、該秒針用の歯車セット（40）を第二の歯車セット（50）に動的に接続する連結装置、及び
前記２つの位置の一方から他方へと連結装置を移動する制御手段
を有することを特徴とする、請求項５に記載の時計のムーブメント。
【請求項７】
前記機構が、針を受けるように設計された機構の側部に配置されていることを特徴とする、請求項６に記載のムーブメント。
【発明の詳細な説明】
【技術分野】
【０００１】
本発明は、枠と、該枠に軸支旋回可能に取り付けられた複数の歯車セットよりなる歯車列とを有する型の時計のムーブメントに関する。このムーブメントにおいて、前記歯車セットの内の第一のものは第一の針を受ける軸を備えており、前記歯車セットの内の第二のものは前記軸と同軸に配されると共に第二の針を受ける管を備えている。実際、針によって表示する型の時計は全てこのような特徴を有している。
【背景技術】
【０００２】
より正確には、このような時計のムーブメントは、筒カナ、分歯車セット、及び時歯車によって形成される動作機械を含んでいる。この動作機械によって、１２による分割が保証される。筒カナは、分歯車セットに摩擦搭載されており、一時間に１回転する。その端部は軸を備えており、軸に接して分を表示する針を駆動することが可能になる。
【０００３】
時歯車は、自由に回転することができるように筒カナに搭載された管を有している。時歯車は、１２時間で筒カナと同方向に１回転し、時間を表示する針を搭載している。
【０００４】
異なる速度で回転する２つの歯車セットを重ね合わせると、必然的に大きな摩擦が発生するが、歯車セットの相対的な動きが遅いときは問題がない。
【０００５】
しかしながら、回転速度が、例えば、１分間に１回に達するような使用においては、摩擦による損失を最小限にすることが重要である。
【発明の開示】
【０００６】
本発明の目的は、このような損失を低減することである。本発明によるムーブメントは第二の歯車セットがボールベアリングによって回転可能に枠に搭載されることによって特徴付けられる。
【０００７】
好都合であることに、ベアリングは芯、環及び該芯と該環との間に配置されたボールを有しており、環は枠にしっかりと固定されており、芯は第二の歯車セットに、例えば、強制的に管にねじ込まれることによって取り付けられている。
【０００８】
第二の歯車セットが、動作時に第一の歯車セットよりも大きい角速度で駆動される場合に、この方法は特に効果的である。
【０００９】
ムーブメントが、第二の歯車セットによって作られる秒針用歯車セットを有するクロノグラフ歯車列を備えたクロノグラフ型の機構を有する場合に、これは特に当てはまる。
【００１０】
一態様において、ムーブメントの歯車列は、１分に１回転する秒針用歯車セットを有し、該ムーブメントが、さらに、
−第一及び第二の位置を占めることのできる連結装置であって、該連結装置に配された中間歯車に取り付けられると共に、該連結装置が第二の位置を占めるときに前記秒針用歯車セットを第二の歯車セットに接続する連結装置、及び
−１つの位置から他の位置に連結装置を移動する制御手段
を有する。
【００１１】
この特定の設計によると、針を受けるように設計されているムーブメントの側部にクロノグラフ機構を配置することができる。結果として、この機構の歯車セットはムーブメントを通り抜ける必要が無くなる。このようにすると、現存のムーブメントに基づいて補助モジュールを作るのが容易になる。
【００１２】
本発明の他の効果及び特徴は、添付の図面を参照してなされている以下の記載から明らかになるであろう。
【００１３】
以下の記載において、時計の文字盤上、又は該文字盤に面するように配置される様々な部品の位置を、文字盤の中心を通る軸の周りを回転する時針が占める位置に関して限定する。
【００１４】
図１に示される時計は、その中に時計のムーブメントが配置される筐体であるケース１０を有している。ムーブメントについては、図２を参照しながら後で記載する。このムーブメントは、円形の文字盤１２、時針１４、分針１６、秒針１８、そしてクロノグラフ秒針２０を含んでいる。ムーブメントは、３時の位置に配されている竜頭２２と、竜頭２２と同軸の押しボタン２４によって制御される。
【００１５】
この時計において、時針１４と秒針１８とは文字盤の中心を外れ、それぞれ正午の位置と６時の位置とに配されている。分針１６とクロノグラフ秒針２０は文字盤と同軸である。
【００１６】
特に図２から理解されるように、ムーブメントはプレート２６で形成された枠と、ブリッジ、特にブリッジ列２８、中央ブリッジ３０、分ブリッジ３２及びクロノグラフブリッジ３４とを有し、この枠はムーブメントの動く様々な部分の支持体として使用される。
【００１７】
このムーブメントは、二番車セット３６、三番車セット３８及び中央秒針用歯車セット４０を含む、動いている歯車列を介して天府に動力を送る動力源と、本発明の一部を構成しないので図示されていない脱進機とを有する。これらの歯車セットの各々は、参照補助符号ａによって示される歯車と参照補助符号ｂを有している小歯車を有している。
【００１８】
二番車３６は、摩擦搭載されると共に分針１６を支持するための軸４２ａを備えている筒カナ４２を有しており、日の裏装置の第一歯車セットを形成している。後者は、さらに、分歯車セットと咬合する中間歯車４４を有しており、時針１４を支持する時歯車と協働する。分歯車セットと時歯車とは、図では見えていない。
【００１９】
このムーブメントの歯車列は、さらに、小型の秒小歯車４６、振動小歯車４８及びクロノグラフ秒歯車５０を有している。小型の秒小歯車は三番車３８ａと咬合している。これは秒針１８を支持している。
【００２０】
振動小歯車４８は２セットの歯を備えており、それぞれ、参照補助符号ａとｂとによって示されており、秒歯車４０ａとクロノグラフ秒歯車５０とそれぞれ咬合している。振動小歯車は、ブリッジ列２８のベアリングとレバー５２とに取り付けられている。後者はプレート２６に固定されており、その上で軸支旋回することができるようになっている。また、これは、クロノグラフ機構によって制御されているが、当業者によってよく知られていることであるし、押しボタン２４によって作動されるので、ここでは詳述しない。
【００２１】
レバー５２が軸支旋回すると、動きの方向に応じて、その歯車４８ｂが歯車５０の歯から離れるか、又は咬合するように、振動小歯車４８の旋回支軸を横方向に駆動する。換言すれば、小歯車４８とレバー５２とで連結装置を形成し、中央秒歯車４０ａを動的にクロノグラフ秒歯車５０に接続したり、クロノグラフ秒歯車５０から離したりしている。
【００２２】
クロノグラフ秒歯車５０は筒カナ４２と同軸に配置されている。歯車５０は、歯車４８ｂと咬合すると共に参照補助符号ａによって同定されるプレート、筒カナ４２と嵌合すると共にクロノグラフ秒針２０を有している管ｂ、及びプレート５０ａの近傍に配されると共に管５０ｂと一体化されているハート形部材ｃ（この機能については後述する。）によって形成されている。クロノグラフ秒歯車５０は、ボールベアリング５４によってクロノグラフブリッジ３４に軸支旋回可能に搭載されている。ボールベアリングは、図示されていない鍵によってクロノグラフブリッジ３４に固定されている管５４ａ、管５０ｂ上で駆動される芯５４ｂ、及び管と芯との間に従来の方法で配されるボール５４ｃによって形成される。
【００２３】
ハート形部材５０ｃは、前記クロノグラフ機構の一部であり、当業者によく知られている方法でクロノグラフ秒針２０をゼロにリセットするハンマーと協働するようになっている。
【００２４】
これまでに記載してきた時計のムーブメントは、秒針を６時の位置か中心に示す型の従来の機械式時計のムーブメントから作ることができる。この基本ムーブメントは、時歯車を正午の位置に配することを可能にするように変更した日の裏装置と、プレート２６と文字盤１２との間の基本ムーブメントに固定されたクロノグラフモジュールとによって作ることができる。基本ムーブメントに対してなされた唯一の重要な変更は、振動小歯車４８を追加したことであり、秒歯車４０ａの動きがクロノグラフ秒歯車に向けられるようになったことである。
【００２５】
以上のように、このような設計にはわずかな変更しか要されない。しかしながら、クロノグラフ秒歯車セット５０が筒カナ４２上を摩擦回転しなくてはならないとすると、大きな欠点をもたらすことになる。これによると、非常に大きな摩擦が発生し、天府の振幅を低減し、結果として、時計の正確さが低くなる。この欠点は、歯車５０を、ボールベアリング５４を介して、枠上で軸支旋回させることによって回避することができる。
【００２６】
前記ムーブメントは、本発明の範囲から外れることなく、数多くの変更を加えることができる。このように、時針が分針と同心である時計の製作を考えることも完全に可能である。そのような場合は、時歯車を筒カナ４２とクロノグラフ秒歯車５０との間に挿入すればよい。
【００２７】
このムーブメントをクロノグラフ以外の他の補足機能と関連させることも可能である。先に記載したボールベアリングの存在によって、いくつかの中央に位置する針を重ね合わせることが可能であるので、摩擦が大き過ぎることに起因する損失を生じることなく、最上部にある針は、高速回転運動を含む、他のあらゆる機能を表示することができる。
【００２８】
中心位置から外れたいくつかの針がムーブメントと同軸に配置されなければならない場合であっても、本発明の方法を適用することができる。
【図面の簡単な説明】
【００２９】
【図１】図１は、本発明によるムーブメントを装着した時計を示している。
【図２】図２は、本発明によるムーブメントの一部を示す断面図である。
【図１】
2004523761.tif 000003
【図２】
2004523761.tif 000004
【国際公開パンフレット】
2004523761.tif 000005
2004523761.tif 000006
2004523761.tif 000007
2004523761.tif 000008
2004523761.tif 000009
2004523761.tif 000010
2004523761.tif 000011
2004523761.tif 000012
2004523761.tif 000013
2004523761.tif 000014
2004523761.tif 000015
【国際調査報告】
2004523761.tif 000016
2004523761.tif 000017
2004523761.tif 000018
2004523761.tif 000019